(57)【要約】【課題】バックベンドが可能で立体的な搬送を実現するとともに、スプロケット歯の掛かりが深く、歯飛びしにくい搬送用コンベヤチェーンを提供する。【解決手段】連結ピンが貫通するピン用長孔が形成された筒状部からなる頭部と該頭部にチェーン長手方向に延設された一対の脚部とからなるリンク本体が、トッププレートの下面に設けられてリンクが構成され、筒状部にピン用貫通孔が形成された軸受体が回転可能に装着されて軸受部が形成され、一方のリンクに形成された頭部が隣接する他方のリンクの一対の脚部間に配設された状態で、軸受部を貫通して、その両端が一対の脚部にそれぞれ形成されたピン孔に挿嵌された連結ピンにより、リンクどうしが無端状に連結され、軸受体１４０の一端が筒状部より外側に突出して形成されているとともにその突出した端部に鍔１４２が形成されていることによって前記課題を解決する。【選択図】図１
2011098792.tif 000002
【特許請求の範囲】
【請求項１】
連結ピンが貫通するピン用長孔が形成された略々円筒状の筒状部からなる頭部と該頭部にチェーン長手方向に延設された一対の脚部とからなるリンク本体が、トッププレートの下面に設けられてリンクが構成され、前記筒状部にピン用貫通孔が形成された略々円柱状の軸受体が回転可能に装着されて軸受部が形成され、一方のリンクに形成された頭部が隣接する他方のリンクの一対の脚部間に配設された状態で、前記軸受部を貫通して、その両端が一対の脚部にそれぞれ形成されたピン孔に挿嵌された連結ピンにより、リンクどうしが無端状に連結されてなる搬送用コンベヤチェーンであって、
前記軸受体の一端が筒状部より外側に突出して形成されているとともにその突出した端部に鍔が形成されていることを特徴とする搬送用コンベヤチェーン。
【請求項２】
前記トッププレートがリンクより幅広のスラットを有することを特徴とする請求項１に記載の搬送用コンベヤチェーン。
【請求項３】
前記スラットが前後のリンクにおいて互いに組み合う櫛歯状形状であることを特徴とする請求項２に記載の搬送用コンベヤチェーン。
【発明の詳細な説明】
【技術分野】
【０００１】
本発明は、食品、薬品関連産業、一般産業等でビン、缶、食品、医薬品、その他物品を搬送する場合に使用される搬送用コンベヤチェーンに関し、特に、曲線経路を循環させて使用する搬送用コンベヤチェーンに関する。
【背景技術】
【０００２】
従来、曲線経路を循環させて使用する搬送用コンベヤチェーンは公知である。
【０００３】
例えば、図１３及び図１４に示すような、外リンクプレート３２０及び内リンクプレート３１０に平行にトッププレート３８０を取り付けた、いわゆる水平駆動チェーン３００が知られている。ここで、図１４は、図１３を矢視ＸＩＶ方向から見た時の平面図である。特にトッププレート３８０をエンジニアリングプラスチックで成形した水平駆動チェーン３００は、回転寿司の搬送用コンベヤチェーンとして多用されている（例えば、特許文献１参照）。
【０００４】
また、図１５に示すような、トッププレート４８０の前後が櫛歯状の凹凸形状に形成されたトップチェーン４００も知られている。ここで、図１５は、トップチェーン４００の背面図である。このトップチェーン４００は、搬送路の曲線軌道部でも利用できるように、リンク４４０の後部のブシュ孔４６０は軸方向に拡開するテーパ状になっている。前部のピン孔４５０と後部のブシュ孔４６０を整列させて、それぞれのピン孔４５０及びブシュ孔４６０に連結ピン４２０を装入すると、隣り合うリンク４４０は互いに水平方向への屈曲を許された状態になる（例えば、特許文献２参照）。
【先行技術文献】
【特許文献】
【０００５】
【特許文献１】特許第３５８０４１５号公報
【特許文献２】特許第３３９８１１０号公報
【発明の概要】
【発明が解決しようとする課題】
【０００６】
ところが、前述したような水平駆動チェーン３００は、その構造上、トッププレート３８０に対して垂直方向の屈曲、すなわち、バックベンドができないため、搬送経路途中に垂直方向の屈曲が存在するような立体的な水平搬送用には不向きであるという課題があった。
【０００７】
一方、前述したようなトップチェーン４００は、スプロケットとブシュ相当部とが噛み合う軌道、すなわち、スプロケットのピッチ円ＳＰがチェーンセンターＣＣ（上面から見た場合の）より、かなりスプロケット中心側に寄っているため、スプロケット歯の掛かりが浅く、歯飛びしやすいという課題があった。
【０００８】
そこで、本発明が解決しようとする技術的課題、すなわち、本発明の目的は、バックベンドが可能で立体的な搬送を実現するとともに、スプロケット歯の掛かりが深く、歯飛びしにくい搬送用コンベヤチェーンを提供することである。
【課題を解決するための手段】
【０００９】
まず、本請求項１に係る発明は、連結ピンが貫通するピン用長孔が形成された略々円筒状の筒状部からなる頭部と該頭部にチェーン長手方向に延設された一対の脚部とからなるリンク本体が、トッププレートの下面に設けられてリンクが構成され、前記筒状部にピン用貫通孔が形成された略々円柱状の軸受体が回転可能に装着されて軸受部が形成され、一方のリンクに形成された頭部が隣接する他方のリンクの一対の脚部間に配設された状態で、前記軸受部を貫通して、その両端が一対の脚部にそれぞれ形成されたピン孔に挿嵌された連結ピンにより、リンクどうしが無端状に連結されてなる搬送用コンベヤチェーンであって、前記軸受体の一端が筒状部より外側に突出して形成されているとともにその突出した端部に鍔が形成されていることにより、前記課題を解決したものである。
【００１０】
そして、本請求項２に係る発明は、請求項１に係る搬送用コンベヤチェーンにおいて、前記トッププレートがリンクより幅広のスラットを有することにより、前記課題をさらに解決したものである。
【００１１】
また、本請求項３に係る発明は、請求項２に係る搬送用コンベヤチェーンにおいて、前記スラットが前後のリンクにおいて互いに組み合う櫛歯状形状であることにより、前記課題をさらに解決したものである。
【発明の効果】
【００１２】
本発明の搬送用コンベヤチェーンは、連結ピンが貫通するピン用長孔が形成された略々円筒状の筒状部からなる頭部と、頭部にチェーン長手方向に延設された一対の脚部とからなるリンク本体が、トッププレートの下面に設けられてリンクが構成され、筒状部にピン用貫通孔が形成された略々円柱状の軸受体が回転可能に装着されて軸受部が形成され、一方のリンクに形成された頭部が隣接する他方のリンクの一対の脚部間に配設された状態で軸受部を貫通して、その両端が一対の脚部にそれぞれ形成されたピン孔に挿嵌された連結ピンにより、リンクどうしが無端状に連結されてなる搬送用コンベヤチェーンであることにより、リンクが連結ピンを中心に垂直方向に回動するとともに連結ピンがピン用長孔内で水平方向の遊びを有しているので、隣り合うリンクは互いに上下及び水平方向への屈曲を許された状態となりバックベンドが可能で立体的な搬送を実現でき、加えて、以下のような特有の構成に対応した格別の効果を奏することができる。
【００１３】
すなわち、本請求項１に係る搬送用コンベヤチェーンによれば、軸受体の一端が筒状部より外側に突出して形成されているとともにその突出した端部に鍔が形成されていることにより、軸受体間にスプロケット歯が入り込むようにチェーンとスプロケットが噛み合うとともに、チェーンの浮き上がりを押さえるようにスプロケット歯側面と軸受体の鍔が摺動するので、スプロケット歯の掛かりが深く、歯飛びしにくい搬送用コンベヤチェーンが実現できる。
【００１４】
しかも、後述するような搬送用コンベヤチェーンの搬送経路に沿ったガイドレールを軸受体の突出部に摺接させるように設置することにより、上下及び水平方向への屈曲を円滑に案内することが実現でき、優れた搬送性能を発揮させることができる。
【００１５】
そして、本請求項２に係る搬送用コンベヤチェーンによれば、請求項１に係る搬送用コンベヤチェーンにおいて、トッププレートがリンクより幅広のスラットを有することにより、搬送物とトッププレートとの接触面積が大きくなるので、搬送物を安定して搬送することが実現できる。
【００１６】
さらに、本請求項３に係る搬送用コンベヤチェーンによれば、請求項２に係る搬送用コンベヤチェーンにおいて、スラットが前後のリンクにおいて互いに組み合う櫛歯状形状であることにより、水平方向に屈曲した場合であっても前後のトッププレート間に大きな隙間が生じることを防止できるので、縦長形状の缶やビンなど物品を搬送する場合であっても物品がトッププレート間に生じる隙間に嵌って転倒することなく水平屈曲軌道に対して安定且つ確実な搬送が実現できる。
【図面の簡単な説明】
【００１７】
【図１】実施例１の搬送用コンベヤチェーンの旋回部分を上方から見た時の斜視図。
【図２】実施例１の搬送用コンベヤチェーンの旋回部分を下方から見た時の斜視図。
【図３】実施例１の搬送用コンベヤチェーンのリンクの斜視図。
【図４】実施例１の搬送用コンベヤチェーンのリンクの上面図。
【図５】実施例１の搬送用コンベヤチェーンのリンクの側面図。
【図６】実施例１の搬送用コンベヤチェーンの２リンクの連結状態を説明する斜視図。
【図７】実施例１の搬送用コンベヤチェーンが水平屈曲走行する状態を説明する断面図。
【図８】実施例１の搬送用コンベヤチェーンが垂直屈曲走行する状態を説明する側面図。
【図９】図８の搬送用コンベヤチェーンを矢視ＩＸから見た時の上面図。
【図１０】実施例２の搬送用コンベヤチェーンの旋回部分を上方から見た時の斜視図。
【図１１】実施例２の搬送用コンベヤチェーンの旋回部分を下方から見た時の斜視図。
【図１２】実施例２の搬送用コンベヤチェーンの２リンクの連結状態を説明する斜視図。
【図１３】従来の水平駆動チェーンの側面図。
【図１４】図１３の水平駆動チェーンの矢視ＸＩＶから見た時の背面図。
【図１５】従来のトップチェーンの背面図。
【発明を実施するための形態】
【００１８】
本発明の搬送用コンベヤチェーンは、連結ピンが貫通するピン用長孔が形成された略々円筒状の筒状部からなる頭部と、頭部にチェーン長手方向に延設された一対の脚部とからなるリンク本体が、トッププレートの下面に設けられてリンクが構成され、筒状部にピン用貫通孔が形成された略々円柱状の軸受体が回転可能に装着されて軸受部が形成され、一方のリンクに形成された頭部が隣接する他方のリンクの一対の脚部間に配設された状態で、軸受部を貫通して、その両端が一対の脚部にそれぞれ形成されたピン孔に挿嵌された連結ピンにより、リンクどうしが無端状に連結されてなる搬送用コンベヤチェーンであって、軸受体の一端が筒状部より外側に突出して形成されているとともにその突出した端部に鍔が形成されていることによって、バックベンドが可能で立体的な搬送を実現するとともに、スプロケット歯の掛かりが深く、歯飛びしにくい搬送用コンベヤチェーンを提供するものであれば、その具体的な実施の態様は、如何なるものであっても何ら構わない。
【００１９】
例えば、本発明の搬送用コンベヤチェーンは、リンク本体とトッププレートとがエンジニアリングプラスチックなどの合成樹脂により一体成形されたものであっても、あるいは、リンク本体とトッププレートとを別部材として形成し、接着やネジ止めなどの方法で両者を固設して構成されたものであっても何ら構わない。
【実施例１】
【００２０】
本発明の一実施態様である実施例１の搬送用コンベヤチェーン１００について、図１乃至図９に基づいて説明する。
【００２１】
ここで、図１は、実施例１の搬送用コンベヤチェーン１００がスプロケットＳの歯ＳＴに、後述する軸受体１４０の突出部が良好に噛み合って水平旋回している旋回部分を上方から見た時の斜視図であり、図２は、図１に示した旋回部分を下方から見た時の斜視図であり、図３は、実施例１の搬送用コンベヤチェーン１００を構成するリンク１２０の斜視図であり、図４は、実施例１の搬送用コンベヤチェーン１００を構成するリンク１２０の上面図であり、図５は、実施例１の搬送用コンベヤチェーン１００を構成するリンク１２０の側面図であり、図６は、実施例１の搬送用コンベヤチェーン１００を構成する２つのリンクの連結状態を説明する斜視図であり、図７は、実施例１の搬送用コンベヤチェーン１００が水平屈曲走行する状態を説明する断面図であり、図８は、実施例１の搬送用コンベヤチェーン１００が垂直屈曲走行する状態を説明する側面図であり、図９は、図８の搬送用コンベヤチェーン１００を矢視ＩＸから見た時の上面図である。
【００２２】
本実施例の搬送用コンベヤチェーン１００は、図６及び図７に示すように、リンク１２０が連結ピン１３０により連結されてなるもので、直線方向、上下左右方向などの走行ラインに沿って屈曲しながら走行できるユニバーサルタイプの搬送用コンベヤチェーンである。
【００２３】
搬送用コンベヤチェーン１００を構成するリンク１２０は、図３乃至図５に示すように、搬送物が載置されるトッププレート１２１と、トッププレート１２１の下面に設けられたリンク本体１２４とからなり、このリンク１２０は合成樹脂で一体に成形されている。
【００２４】
リンク本体１２４は、図６に示すように、軸受体１４０が装着される軸受体用の筒孔１２５ａを有する略々円筒状の頭部１２５を備えると共に、この頭部１２５にチェーン長手方向に延設された一対の脚部１２６、１２７を備えている。
【００２５】
また、この頭部１２５の筒孔１２５ａ周囲の筒状部には、連結ピン１３０が貫通するピン用長孔１２５ｂが形成されている。脚部１２６、１２７には、それぞれ連結ピン１３０が挿嵌されるピン孔１２６ａ、１２７ａが形成されている。
【００２６】
頭部１２５の筒孔１２５ａ内には、リンク１２０どうしを連結するためのリンク１２０の高さよりも略スプロケットの歯厚分長い略々円柱状で端部に鍔１４２が形成されている軸受体１４０が挿入され、この軸受体１４０は中心軸線を中心として自由に回動するように装着される。このように、この頭部の筒孔１２５ａ内に装着された軸受体１４０と、頭部１２５とで軸受部１５０が構成される（図７）。軸受体１４０には、図６及び図７に示すように、連結ピン１３０が遊嵌される円形のピン用貫通孔１４０ａが形成されている。
【００２７】
上記の構成からなるリンク１２０を連結して搬送用コンベヤチェーン１００を形成する場合、まず、各リンク１２０の頭部１２５の筒孔１２５ａ内に軸受体１４０を装着し、次いで、一方のリンク１２０の頭部１２５が隣接する他方のリンク１２０の一対の脚部１２６、１２７間に位置するようにして、脚部間に亘って設けられた連結ピン１３０により、リンク１２０どうしを無端状に連結する。
【００２８】
このように構成された実施例１の搬送用コンベヤチェーン１００は、図１及び図２に示すように軸受体１４０の円柱状の突出部がスプロケットＳの歯溝に噛み合うように懸架され水平旋回する。そのため、搬送用コンベヤチェーン１００のセンターラインとスプロケットＳのピッチ円とが同一となり、スプロケット歯ＳＴの掛かりが深く、歯飛びしにくい搬送用コンベヤチェーン１００が実現できる。また、軸受体１４０の突出した端部に形成した鍔１４２がスプロケットＳの歯側面と摺接するため、高速回転で旋回したとしても搬送用コンベヤチェーン１００が浮き上がることなく安定して搬送物を搬送することができる。
【００２９】
また、図８及び図９に示すように、搬送経路の復路などで、複数の搬送用コンベヤチェーンを立体交差させる場合などにおいて、搬送用コンベヤチェーンに並設して垂直方向に屈曲したガイドレール１６０を設置することによって、所望の垂直屈曲軌道を実現することができる。
【実施例２】
【００３０】
次に、本発明の別の実施態様である実施例２の搬送用コンベヤチェーン２００について、図１０乃至図１２に基づいて説明する。
【００３１】
実施例２の搬送用コンベヤチェーン２００は、前述した実施例１の搬送用コンベヤチェーン１００とトッププレート２２０の形状を除き、基本的な装置構成が全く同一であるから、同一部材に付した符号の１００番台を２００番台に書き換えることにより、その説明を省略する。
【００３２】
ここで、図１０は、実施例２の搬送用コンベヤチェーン２００がスプロケットＳの歯ＳＴに、軸受体２４０の突出部が良好に噛み合って水平旋回している旋回部分を上方から見た時の斜視図であり、図１１は、図１０に示した旋回部分を下方から見た時の斜視図であり、図１２は、実施例２の搬送用コンベヤチェーン２００を構成する２つのリンクの連結状態を説明する斜視図である。
【００３３】
実施例１の搬送用コンベヤチェーン１００は、リンクを構成するリンク本体とトッププレートとが略々同じ形状をしているが、実施例２の搬送用コンベヤチェーン２００は、図１２に示すように、トッププレート２２１が、リンク本体より幅広のスラット２２８を有している。そして、このスラット２２８が、前後のリンクにおいて互いに組み合う櫛歯状形状をしている。
【００３４】
そのため、搬送用コンベヤチェーン２００が水平面上を屈曲走行しても前後のリンク間に大きな隙間が生じず、缶やビンなどの縦長の物品を搬送する場合であっても、物品がリンク間の隙間に嵌って転倒するということがなく円滑に物品を搬送できる。
【００３５】
以上のように、本発明の搬送用コンベヤチェーンによれば、バックベンドが可能で立体的な搬送を実現するとともに、スプロケット歯の掛かりが深く、歯飛びしにくい搬送用コンベヤチェーンを実現することができるなど、その効果は絶大である。
【符号の説明】
【００３６】
１００、２００  ・・・  搬送用コンベヤチェーン
１２０、２２０  ・・・  リンク
１２１、２２１  ・・・  トッププレート
１２１ａ  ・・・  面取り
１２１ｂ  ・・・  湾曲面
１２１ｃ  ・・・  湾曲面
１２４  ・・・  リンク本体
１２５、２２５  ・・・  頭部
１２５ａ、２２５ａ  ・・・  筒孔
１２５ｂ、２２５ｂ  ・・・  ピン用長孔
１２６、２２６  ・・・  脚部
１２６ａ、２２６ａ  ・・・  ピン孔
１２７、２２７  ・・・  脚部
１２７ａ、２２７ａ  ・・・  ピン孔
１３０、２３０  ・・・  連結ピン
１４０、２４０  ・・・  軸受体
１４０ａ、２４０ａ  ・・・  ピン用貫通孔
１４２、２４２  ・・・  鍔
１５０  ・・・  軸受部
１６０  ・・・  ガイドレール
３００  ・・・  水平駆動チェーン
３１０  ・・・  内リンクプレート
３２０  ・・・  外リンクプレート
３８０  ・・・  トッププレート
４００  ・・・  トップチェーン
４４０  ・・・  リンク
４５０  ・・・  ピン孔
４６０  ・・・  ブシュ孔
４８０  ・・・  トッププレート
Ｓ  ・・・  スプロケット
ＳＴ  ・・・  スプロケット歯
【図１】
2011098792.tif 000003
【図２】
2011098792.tif 000004
【図３】
2011098792.tif 000005
【図４】
2011098792.tif 000006
【図５】
2011098792.tif 000007
【図６】
2011098792.tif 000008
【図７】
2011098792.tif 000009
【図８】
2011098792.tif 000010
【図９】
2011098792.tif 000011
【図１０】
2011098792.tif 000012
【図１１】
2011098792.tif 000013
【図１２】
2011098792.tif 000014
【図１３】
2011098792.tif 000015
【図１４】
2011098792.tif 000016
【図１５】
2011098792.tif 000017